(57)【要約】      （修正有）【課題】無風状態即ち静穏、静止の状態の庫内空気に冷却パネルの冷温が伝播して穏やかで自然的に庫内空気全体を均等に超低温（例、−６０℃）低下することができ、よって、食品等の冷凍品を均等・均質に冷凍蔵することができる冷凍庫を提供する。【解決手段】庫体２にコンデンサー４、機械室５からなる冷凍装置３を併設して備えたプレハブ式冷凍庫において、冷凍庫２の庫内の天井面６、内周壁の上位部面７、及び、天井面６から床８方向に垂設した複数の仕切板の両面に、夫々冷却パネル１０を設置して設けたプレハブ式超低温無風冷凍庫１によって課題を解決した。【選択図】図２
0003175631.tif 000002
【実用新案登録請求の範囲】
【請求項１】
断熱性の壁パネル、床パネル、天井パネル、ドアパネル等の各種パネルを用いて設けた庫体にコンデンサー、機械室からなる冷凍装置を併設して備えたプレハブ式冷凍庫において、
前記冷凍庫の庫内の天井面、内周壁の上位部面、及び、天井面から床方向に垂設した複数の仕切板の両面に、夫々冷却パネルを設置したことを特徴とする、プレハブ式超低温無風冷凍庫。
【請求項２】
前記複数の仕切板は、天井面から床方向に複数枚略等間隔に垂設したものであり、その板幅を前記内周壁の上位部面の幅に略合わせて設け、その両面に冷却パネルを設置したものであることを特徴とする、
請求項１のプレハブ式超低温無風冷凍庫。
【請求項３】
前記仕切板に換え、冷却パネル１０だけを単独（１枚）で若しくは２枚重合して設置するようにしたことを特徴とする、
請求項１のプレハブ式超低温無風冷凍庫。
【請求項４】
前記冷却パネルは、長尺の冷却パイプをジグザグ等に配設しアルミ板で被覆してパネル状に設けたものであることを特徴とする、
請求項１のプレハブ式超低温無風冷凍庫。
【考案の詳細な説明】
【技術分野】
【０００１】本考案は、断熱性の壁パネル、床パネル、天井パネル、ドアパネル等の各種パネルを用いて設けた庫体にコンデンサー、機械室からなる冷凍装置を併設して備えたプレハブ式冷凍庫において、
前記冷凍庫の庫内の天井面、内周壁の上位部面、及び、天井面から床方向に垂設した複数の仕切板の両面に、夫々冷却パネルを設置して構成したことを特徴とし、従来と異なり、冷凍庫内を無風状態（室内空気を循環等せず、静穏、静止の状態）で超低温（例、−６０℃）に冷却して食品等を冷凍蔵することを特徴とするプレハブ式超低温無風冷凍庫に係るものである。
【背景技術】
【０００２】従来の冷凍庫は、通常、ファン等で庫内の冷却空気を循環して、庫内の冷却温度の均等性を維持するようにして、食品等を均等に冷却、冷凍蔵するように備えている。【０００３】ところが、近時、前記従来冷凍庫の冷却空気循環方式の場合、例えば、庫内の冷却空気の噴出し口に近い部分と離れた部分とで、冷凍品の冷凍温度及び目的冷凍温度に到達する時間等に相違が生じて冷凍効果が均一でないとか、冷却空気が冷凍品の表面に流動接触して冷却するため、静止空気内で冷却する場合に比して品質に悪影響が生じ、特に冷凍品の表面側と内部の品質にむらを生じる等の点が課題とされてきた。
【先行技術文献】
【特許文献】
【０００４】
【特許文献１】特開２０１０−１０７１０６号
【特許文献２】特開２０１１−１１７６４６号
【考案の概要】
【考案が解決しようとする課題】
【０００５】そこで、本考案は、従来と異なり、冷凍庫内を無風状態（冷却空気を循環等せず、静穏、静止の状態）で超低温（例、−６０℃）に冷却して食品等を冷凍蔵することを特徴とするプレハブ式超低温無風冷凍庫によって、前記従来冷凍庫の課題を解決せんとするものである。
【課題を解決するための手段】
【０００６】請求項１の考案は、断熱性の壁パネル、床パネル、天井パネル、ドアパネル等の各種パネルを用いて設けた庫体にコンデンサー、機械室からなる冷凍装置を併設して備えたプレハブ式冷凍庫において、前記冷凍庫の庫内の天井面、内周壁の上位部面、及び、天井面から床方向に垂設した複数の仕切板の両面に、夫々冷却パネルを設置したことを特徴とするプレハブ式超低温無風冷凍庫によって課題を解決したものである。【０００７】請求項２の考案は、前記複数の仕切板は、天井面から床方向に複数枚略等間隔に垂設したものであり、その板幅を前記内周壁の上位部面の幅に略合わせて設け、その両面に冷却パネルを設置したものであることを特徴とする請求項１のプレハブ式超低温無風冷凍庫によって課題を解決したものである。【０００８】請求項３の考案は、前記仕切板に換え、冷却パネル１０だけを単独（１枚）で若しくは２枚重合して設置するようにしたことを特徴とする請求項２のプレハブ式超低温無風冷凍庫によって課題を解決したものである。【０００９】請求項４の考案は、前記冷却パネルは、長尺の冷却パイプをジグザグ等に配設しアルミ板で被覆してパネル状に設けたものであることを特徴とする、請求項１のプレハブ式超低温無風冷凍庫によって課題を解決したものである。
【考案の効果】
【００１０】本考案は、従来と異なり、冷凍庫内を無風状態（冷却空気を循環等せず、静穏、静止の状態）で超低温（例、−６０℃）に冷却して食品等を冷凍蔵するように設けたので、無風状態即ち静穏、静止の状態の庫内空気に冷却パネルの冷温が伝播して穏やかで自然的に庫内空気全体を均等に超低温（例、−６０℃）低下することができ、よって、食品等の冷凍品を均等・均質に冷凍蔵することができる優れた効果がある。【００１１】上記のように冷却パネルの冷温が伝播して自然的に庫内空気全体を均等に超低温（例、−６０℃）低下するにつき、本考案は、庫内の床上に蔵置した食品等の冷凍品の上方空間の全部である、天井面、内周壁の上位部面、及び、天井面から床方向に垂設した複数の仕切板の両面に、夫々冷却パネルを設置して、極めて大きな冷却パネル面積、即ち極めて大きな庫内空気冷却面を形成したことを特徴とするため、この極めて大きな冷却パネル面で冷却された冷却空気を庫内上部の全面から伝播降下し、食品等の冷凍品を極めて効率的かつ均等・均質に冷凍蔵することができる優れた効果がある。【００１２】
【図面の簡単な説明】
【００１３】
【図１】図１は、実施例の正面図である。
【図２】図２は、図１のＡ−Ａ線矢視断面図である。
【図３】図３は、図１のＢ−Ｂ線矢視断面図である。
【図４】図４は、図２のＣ−Ｃ線断面図である。
【図５】図５は、図４のＤ部の拡大図である。
【考案を実施するための形態】
【００１４】壁パネル、床パネル、天井パネル、ドアパネルで設けた庫体と冷凍装置からなるプレハブ式冷凍庫において、庫内の天井面、内周壁の上位部面、及び、天井面から床方向に垂設した複数の仕切板の両面に、夫々冷却パネルを設置して設けたプレハブ式超低温無風冷凍庫によって実現した。
【実施例１】
【００１５】図１は、実施例の正面図、図２は、図１のＡ−Ａ線矢視断面図、図３は、図１のＢ−Ｂ線矢視断面図、図４は、図２のＣ−Ｃ線断面図、図５は、図４のＤ部の拡大図である。【００１６】符号、１はプレハブ式超低温無風冷凍庫、２は庫体、３は冷凍装置、４はコンデンサー（内部構造図示省略）、５は機械室（内部構造図示省略）、６は天井面、７は内周壁の上位部面、８は床、９は仕切板、１０は冷却パネル、１１は冷却パイプ、１２はドアパネルのドアである。【００１７】断熱性の壁パネル、床パネル、天井パネル、ドアパネル等の各種パネルを用いて設けた庫体２にコンデンサー４、機械室５からなる冷凍装置３を併設して備えたプレハブ式冷凍庫において、前記冷凍庫２の庫内の天井面６、内周壁の上位部面７、及び、天井面６から床８方向に垂設した複数の仕切板９の両面に、夫々冷却パネル１０を設置してプレハブ式超低温無風冷凍庫１を設けたものである。【００１８】前記複数の仕切板９は、天井面６から床８方向に複数枚略等間隔に垂設したものであり、その板幅を前記内周壁の上位部面７の幅に略合わせて設け、その両面に冷却パネル１０を設置したものである。【００１９】なお、前記仕切板９に換えて、冷却パネル１０だけを単独（１枚）で若しくは２枚重合（例、背中合わせに重合）して設置することも可である。【００２０】前記冷却パネル１０は、長尺の冷却パイプ１１をジグザグ等に配設しアルミ板で被覆してパネル状に設けたものである。
【産業上の利用可能性】
【００２１】本考案は、例えば、プレハブ式冷凍庫の規模、冷凍装置の台数、冷却パネルの大小、形状、枚数等に制約なしに、１坪以下の小型冷凍庫から数１０坪〜数１００坪の大型冷凍庫まで適応自在に実施可能な優れた特徴があり、従って、極めて広範囲に使用・利用・応用可能なものである。
【符号の説明】
【００２２】  １  プレハブ式超低温無風冷凍庫
２  庫体
３  冷凍装置
４  コンデンサー（内部構造図示省略）
５  機械室（内部構造図示省略）
６  天井面
７  内周壁の上位部面
８  床
９  仕切板
１０  冷却パネル
１１  冷却パイプ
１２  ドア
【図１】
0003175631.tif 000003
【図２】
0003175631.tif 000004
【図３】
0003175631.tif 000005
【図４】
0003175631.tif 000006
【図５】
0003175631.tif 000007